(57)【特許請求の範囲】
【請求項１】
外周壁が袴状に形成される本体に調理体や遮熱板を収容するホットプレートなどの調理器において、袴状に形成される本体の外周壁内側に外周壁と平行に複数の補助壁を配置し、該複数の補助壁と外周壁の下端を含めて手で持つことができる把手部とし、補助壁と補助壁の間に補強リブを設け、補助壁と外周壁の間には外周壁の内面に連続する補強リブを形成しないことを特徴とする調理器における本体の把手構造。
【発明の詳細な説明】
【０００１】
【発明の属する技術分野】
この発明は、ホットプレートや電気なべのように、本体に対して調理体を着脱自在に装着し、本体に装着するヒータによって調理体を加熱する加熱調理器に関し、特に調理器の本体を持つための把手構造に係る発明である。
【０００２】
【従来の技術】
ホットプレートや電気なべには、本体と、本体に装着する遮熱板と、遮熱板に支持されるヒータと、その上方に配置する調理体とで構成するものが知られている。本体そのものを持ち運びするには、本体に把手を装着するものもあるが特開平１１−２７３８４８号に図示されているように、本体の外周壁を袴状に形成して、本体外周壁の下端を直接手で持つことができるようにしたものが知られている。
【０００３】
【発明が解決しようとする課題】
合成樹脂材などで一体に成型される本体外周壁の下端を手で持つ場合、外周壁の板厚一枚分の外周壁下端を手で持つことになり、この部分が指先に食い込むために持ちにくい欠点がある。この欠点を解消するために、別に作った把手を外周壁に装着することも考えられるが、このようなものではそれだけコスト高となる。また、本体の外周部に抉りを形成して把手部とすることもできるが、このようなものでは、本体形状の見栄えが悪くなる。
【０００４】
上記、従来技術の欠点に鑑み、本発明は電気調理器本体の外周壁下端を直接手で持つものであって、手指への当たりが柔らかく持ち易い把手構造を提供することを目的とするものである。また、本体の外周壁下端を直接手で持つに際し、強度的に優れるとともにより持ち易い構造であって、外観的にも優れた構造を工夫したものである。
【０００５】
【課題を解決するための手段】
外周壁１ａが袴状に形成される本体１に調理体４や遮熱板２を収容するホットプレートなどの調理器において、袴状に形成される本体１の外周壁１ａの内側に外周壁１ａと平行に補助壁１ｂや１ｃを配置する。外周壁１ａの内側に補助壁１ｂや１ｃを配置すると、本体１を手で持つ場合に、補助壁１ｂや１ｃを含めて外周壁１ａの下端を手で持つことになり、手指への当たりがそれだけ柔らかくなる。すなわち，調理器の荷重が外周壁下端と補助壁１ｂや１ｃに分散して手指に掛かるため、それだけ持ち易くなる。
【０００６】
本体１の外周壁1aと平行に配置する補助壁は、補助壁1bと1cのように複数とし、複数の補助壁1bと1cと外周壁1aの下端を手で持つことにより、力が分散するようにする。また、補助壁1bと補助壁1cの間に補強リブ1dを設け、補助壁1bと外周壁1aの間には、外周壁1aの内面に連続するような補強リブを形成しないようにする。これにより、補強壁1bと1cの強度が増加して安定よくしっかりと持つことができるとともに、補強リブ1dの成型に伴い本体１外周壁1aに「ひけ」が発生するのを回避し、本体１の外観を損なうことを防止する。
【０００７】
【発明の実施の形態】
以下、本発明に係る調理器における本体の把手構造、の実施形態をホットプレートに応用した添付の図面に基づいて説明する。
図１はホットプレート全体の縦断面図、図２は図１に示すホットプレートの分解斜視図である。図１、図２に示すホットプレートは、本体１に対して皿状の遮熱板２を着脱自在に装着し、遮熱板２にヒータ３を固定的に装着するとともにヒータ３の上方に調理体４を配置するものである。
【０００８】
本体１は、合成樹脂材などで一体に成型することができる。一体に成型する本体１には遮熱板２や調理体４を収容するともに、人の手に触れ易い外周部分が加熱されにくいような構造としている。すなわち、遮熱板２や調理体４を収容するために皿状に形成した本体１は、その上端で連続させて外観として表れる外周壁１ａを成型している。このとき、外周壁１ａは下方が開放される袴状とすることによって合成樹脂材による一体成型を可能としている。このように外周壁１ａによってガード機能を備える合成樹脂製のホットプレート用本体の構造は、従来から知られるものであって汎用されており、本体もしくは本体ガードと称している。
【０００９】
合成樹脂材で成型される本体１には、図３に示すように長手方向の左右両端部において、外周壁１ａの内側に外周壁１ａと平行に二つの補助壁１ｂ，１ｃを成型し、本体１の外周壁１ａと二つの補助壁１ｂ，１ｃを含めて手で持つことにより手指への当たりが柔らかな把手部を形成している。さらに、外周壁１ａと平行に成型する二つの補助壁１ｂ，１ｃの間に補強リブ１ｄを設け、把手部としての強度と安定感を持たせている。図示例の補強リブ１ｄは補助壁１ｂと１ｃの間に形成し、本体１の外周壁１ａと補助壁１ｂの間には形成していない。これにより、成型の際に発生する「ひけ」の影響が外周壁１ａの表面には表れず、本体１の外観的な見栄えを損なうことがない。
【００１０】
本体１に対して遮熱板２を着脱自在とするために、図示例のホットプレートでは遮熱板２の裏面に脚５を突出させ、脚５が本体１に形成した窪み６に嵌り込むようにしている。皿状に形成した遮熱板２の上面には金具７によってヒータ３を固定し、その上方に配置する調理体（プレート）４を加熱することができるようにしている。遮熱板２に固定したヒータ３の電極部分は、遮熱板２の側壁２ａを貫通させて器外に突出させてプラグ受け８を装着し、温度調節器９を装着することによってヒータ３に給電し、かつ温度調節器９の感熱棒１０で調理体４の温度を検出し、調理体４の温度を所望の設定温度に維持することができるようにしている。調理体４の長手方向の対向位置には、把手１１，１１を装着している。
【００１１】
本体１の長手方向の対向位置には、調理体４に固定されている把手１１が、遊動することなく嵌り込む幅の段部１２，１２を形成している。さらに、段部１２の内側面に凸部１３を形成し、この凸部１３を把手１１に形成した凹部１４に係合させることによって、調理体４が把手１１と交差する方向（縦方向）に遊動しないようにしている。これにより、調理体４は常に本体１の定位置に装着することができ、全周にわたって調理体４と本体１との隙間を所定間隔に維持することができ、調理体４が接近することによって本体１の一部分のみが異常に加熱されることがなくなる。
【００１２】
ヒータ３は遮熱板２に固定されるものであるため、遮熱板２とヒータ３は一体に着脱する。すなわち、先に述べたように遮熱板２の脚５を本体１の窪み６に嵌め込むことによってヒータ３をも装着することになるが、単に脚５を窪み６に嵌め込むだけでは十分に安定しない。そのため、本体１の段部１２の一部にさらに係合段部１５を形成し、ここにヒータ３のプラグ受け８を嵌合させることによってヒータ３を定位置に安定させている。具体的には、プラグ受け８の側面に凸条１６，１６を縦設する。この凸条１６が係合段部１５の側面に縦設した凹溝１７に上方から挿入できるようにすることによって安定する。
【００１３】
段部１２に形成する凸部１３及び凸部１３に係合する把手１１の凹部１４の具体的な形状として、図示実施形態では本体１の段部１２の下端中央に突起状の凸部１３を形成し、この凸部１３に係合する凹部１４は把手１１の側面下端部であって内側から中央部までを削除した切欠部として形成している。そのため、左右両方の把手１１をそれぞれ段部１２に嵌め込んだときに調理体４はガタ付いたり遊動することなく、ズレを生じずに位置決めして装着される。
【００１４】
その他、図面において１８は把手１１の一部に形成した下向きの棒状の突起であって、調理体４を装着したときにプラグ受け８のセット孔１９に挿入され、突起１８が挿入されることによって温度調節器９を装着することができるようにするものである。把手１１に形成する突起１８は、調理体４をいずれの方向に装着しても使用できるように両方の把手に形成している。そのため、プラグカバー８が位置しない側の段部１２には突起１８が嵌合する凹所２０を形成している。突起１８と凹所２０の嵌合も、本体１と調理体４の係合手段として有効である。
【００１５】
以上に述べたホットプレートは、本体１と、ヒータ３がセットされた遮熱板２と、調理体４をそれぞれ分離させて洗浄その他の取り扱いができ、組み合わせた状態で確実に所定の位置関係にセットされ調理に使用することができるものである。調理中や調理直後において、調理体４が熱い状態で持ち運びする可能性として、調理体４だけを持つ場合と調理器全体を持ち運びする場合があり、調理体４だけを持ち運びする場合は、調理体４の把手１１を持って取り扱う。
【００１６】
一方、ホットプレート全体あるいは調理体４を取り除いた本体１を持ち運びする場合は、袴状に形成されている本体１の外周壁1a下端に手指を当てて持ち上げるようにして取り扱う。本体１の外周壁下端、特に把手部となると想定している左右両端部には、図３に示すように外周壁1aの内側に補助壁1b，1cを配置している。そのため、持ち上げる際に掛かるホットプレート全体の荷重は、外周壁の下端面と補助壁1b，1cの下端面が当接している手指に掛かる。すなわち、ホットプレートの荷重が分散されて手指に掛かるため、例え外周壁1aの厚みが薄いものであっても、手指に痛みを感じるようなこともなく持ち運びすることができることになる。このとき、補助壁が複数であることでより効果的であり、補助壁1bと補助壁1cの間に補強リブ1dが設けられていることにより把手部分全体の強度が大きくなり、安心して持ち運びすることができる。
【００１７】
図示例のホットプレートは角型であるが、ホットプレートや電気なべといった調理器では丸型のものも多く利用されている。また、遮熱板やヒータが本体に固定されているものも広く利用されている。したがって、本発明はこのような調理器の本体構造として広く利用することができるものである。
【００１８】
【発明の効果】
請求項１記載の本発明調理器における本体の把手構造によれば、本体外周壁が袴状に形成され、外周壁よりも内方部分に調理体や遮熱板を収容するホットプレートなどの調理器において、本体の外周壁の下端に手指を当てて持ち運びする場合に、例え外周壁が厚みの薄いものであっても、手指に掛かる荷重が外周壁下端と補助壁下端に分散するため苦痛を感じることなく、安心して持ち運びすることができる。このとき、外周壁の内方部分に設ける補助壁が複数であるため、手指に掛かる調理器全体の荷重が、外周壁の下端と複数の補助壁の下端に分散されるとともに、補助壁と補助壁の間に設けた補強リブによって補助壁の強度を向上させることができるため、より安定感が増し、安心して持ち運びすることができる。さらに、外周壁の内側に配置する補助壁と外周壁の間には補強リブを形成しないため、補強リブの成形に伴うひけの発生を回避し、外観上の影響をなくすることができる。
【図面の簡単な説明】
【図１】本発明をホットプレートに応用した実施形態を示す全体の縦断面図、
【図２】図１のホットプレートの本体、遮熱板及びヒータ、調理体の分解斜視図、
【図３】反転させて示す本体の把手部分のみの斜視図、
【図４】本体と調理体の係合部分であって、一部を切断して示す正面図。
【符号の説明】
１…本体、  １ａ…外周壁、  １ｂ，１ｃ…補助壁、  １ｄ…補強リブ、  ２…遮熱板、３…ヒータ、  ４…調理体、  ５…脚、  ６…窪み、  ７…金具、  ８…プラグ受け、  ９…温度調節器、  １０…感熱棒、  １１…把手、  １２…段部、  １３…凸部、  １４…凹部、  １５…係合段部、  １６…凸条、  １７…凹溝、  １８…突起、  １９…セット孔、  ２０…凹所。
【図１】
0003602521.tif 000002
【図２】
0003602521.tif 000003
【図３】
0003602521.tif 000004
【図４】
0003602521.tif 000005